(57)【要約】【課題】  パチンコ島台内部に容易に設置することのできるユニット回収樋を提供する。【解決手段】  ユニット回収樋１は、パチンコ玉の直径より小さい間隔で平板１１をスノコ状に並設して形成されたパチンコ玉の通り道となる複数の溝１２が設けられた玉通路３と、上端が水平状に形成された一対の側板４とパチンコ玉が円滑に流下する勾配が形成された底板５とパチンコ島台３０に装着できる手段とが設けられた玉通路枠２とを備え、玉通路３を玉通路枠２の底板５に敷設して形成されるもので、複数のパチンコ機１６を列設するパチンコ島台３０や玉返却装置１９が設置されたパチンコ島台３０の内側下部の回収樋２０形成空間に容易に装着できるように構成したので、 ユニット回収樋の上面を水平状に設置する極めて簡単な作業を行うだけで、ユニット回収樋の玉通路にパチンコ玉が流下するための的確な勾配を形成することができる。【選択図】    図１
2006280974.tif 000002
【特許請求の範囲】
【請求項１】
パチンコ機からの排出玉または玉返却装置からの返却玉を回収樋または貯留タンクに流下させて玉磨揚送機構に導出するパチンコ島台の回収経路に設けられるユニット回収樋であって、
該ユニット回収樋は、
パチンコ玉の直径より小さい間隔で平板をスノコ状に並設して形成するパチンコ玉の通り道となる複数の溝が設けられた玉通路と、
上端が水平状に形成された一対の側板と、パチンコ玉が円滑に流下する勾配が形成された底板と、前記パチンコ島台に装着できるパチンコ島台装着手段と、が設けられた玉通路枠と、
を備え、
前記玉通路を前記玉通路枠の前記底板に敷設して形成したことを特徴とするユニット回収樋。
【発明の詳細な説明】
【技術分野】
【０００１】
本発明は、パチンコ島台内部に設けられ、特定のパチンコ機から排出される使用済玉や玉返却装置からの返却玉を回収し、最終的に玉磨揚送機構である還元機へ導出できるようにしたユニット回収樋に関するものである。
【背景技術】
【０００２】
パチンコ島台には、パチンコ機から排出される使用済玉と、玉返却装置から返却される返却玉を島台下部に架設された回収樋で回収して貯留タンクに貯留し、その貯留した玉を島台中央に設置されている玉磨揚送機構である還元機により磨きながら島台上方へ揚送し、さらに島台上部の補給樋を介して、揚送された玉を再度各パチンコ機に供給する玉自動還元システムが内蔵されている。
【０００３】
このようなパチンコ島台においては玉の循環を効率よく行うために、回収樋から貯留タンクを経由して最終的に島台中央の還元機へ玉をスムーズに流下させる必要がある。しかしてパチンコ機から排出される使用済玉は、一旦アウトＢＯＸに落下し、そこで計数されてからアウトＢＯＸの玉出口に装着されたフレキシブルパイプを通って回収樋の近傍まで略垂直状に落下してから回収樋に回収される場合が殆どであるが、島台中央内部には前記した貯留タンクと還元機が設置されており、さらに貯留タンクからの貯留玉を整列させて還元機に導入するための玉導入樋が貯留タンクと還元機の間に架設されているので、回収樋は、それらの装置が邪魔となって貯留タンクの側部（島台の端方向）までしか延設できず、したがって、貯留タンクの上部に設置されているパチンコ機の排出玉は、アウトＢＯＸから直接貯留タンクに導出するようにする一方、玉導入樋の上部に設置されているパチンコ機の排出玉は、それ専用の排出玉回収樋を作成して島台内の適宜場所に設置し、アウトＢＯＸからその排出玉回収樋を介して貯留タンクに導出するようにしていた。このような手段を選択するのは、玉導入樋の上部に設置されているパチンコ機の排出玉は、前記したフレキシブルパイプで貯留タンクに流下させると、フレキシブルパイプが水平状に傾くため玉詰まりを起こし易く、またフレキシブルパイプを玉導入樋の近傍まで垂直状に導いて、直接玉導入樋に排出玉を流下させると、折角整列していたパチンコ玉が乱されて還元機へ正常にパチンコ玉を導出できなくなり、何れにしても上手く排出玉を処理できないことに起因している。
【０００４】
また、玉返却装置から島台にパチンコ玉が返却される場合には、玉返却装置と島台内の回収樋との落差が大きいため、玉返却装置の玉出口から直接回収樋に落下させると、返却玉の落下による衝撃により回収樋を破損するため、玉返却装置と回収樋との間にも前記排出玉回収樋と同様にそれ専用の返却玉回収樋を島台内の適宜場所に設置し、落差調整をして回収樋を破損しないようにしていた。
【発明の開示】
【発明が解決しようとする課題】
【０００５】
前記した排出玉回収樋及び返却玉回収樋は、作業員が現場で組み立てるため、その精度は、作業員の熟練度に委ねられることになる。しかし、回収樋は、パチンコ玉を円滑に転動させる勾配が予め決められており、例えば不慣れな作業員が回収樋を組み立てたときにこの勾配を逸脱すると、パチンコ玉の回収がスムーズにおこなわれず、前記した玉自動還元システムに支障をきたす虞がある。
【０００６】
また、島台中央部には前記した貯留タンク、還元機、玉導入樋以外にオーバーフローホースや変圧機その他多くの機器設備が収納されており、特に排出玉回収樋の設置作業はそれらの装置のため煩雑なものとなっていた。
【０００７】
本発明は上記した事情に鑑みなされたもので、その目的とするところは、パチンコ島台内部に容易に設置することのできるユニット回収樋を提供することにある。
【課題を解決するための手段】
【０００８】
上記した目的を達成するために、本発明は、パチンコ機からの排出玉または玉返却装置からの返却玉を回収樋または貯留タンクに流下させて玉磨揚送機構に導出するパチンコ島台の回収経路に設けられるユニット回収樋であって、該ユニット回収樋は、パチンコ玉の直径より小さい間隔で平板をスノコ状に並設して形成するパチンコ玉の通り道となる複数の溝が設けられた玉通路と、上端が水平状に形成された一対の側板と、パチンコ玉が円滑に流下する勾配が形成された底板と、前記パチンコ島台に装着できるパチンコ島台装着手段と、が設けられた玉通路枠と、を備え、前記玉通路を前記玉通路枠の前記底板に敷設して形成したことを特徴とするものである。
【発明の効果】
【０００９】
ユニット回収樋を構成する玉通路枠の両側板の上面を、パチンコ島台内部のパチンコ機設置部下方位置に水平に設置したとき、ユニット回収樋の底面に敷設された玉通路にパチンコ玉が円滑に流下する勾配が自動的に形成され、したがってパチンコ機や玉返却装置からユニット回収樋に流入したパチンコ玉は、極めてスムーズにユニット回収樋の玉通路上を流下し、回収樋や貯留タンクに導出される。そのため、従来のような作業員の熟練度にその精度が左右されていた現場での回収樋の組み立て作業が全く介入せず、パチンコ島台の短距離回収路となるユニット回収樋の上面を水平状に設置する極めて簡単な作業を行うだけで、ユニット回収樋の玉通路にパチンコ玉が流下する的確な勾配を形成することができる。
【発明を実施するための最良の形態】
【００１０】
以下図面を参照して本発明の一実施例を説明する。まず、図８，９を参照して実施例に係わるユニット回収樋１が適用されるパチンコ島台３０について説明する。
【００１１】
図８は、パチンコ島台３０中央部の内部構造を示す一部破断正面図であり、図９は、パチンコ島台３０端部の内部構造を示す一部破断正面図である。まず図８においてパチンコ島台３０は、多数のパチンコ機１６が予め定められた間隔で設けられる一対のカウンター２１基部上に背向列設されており、その中央に玉磨揚送機構である還元機１７が立設され、パチンコ玉は還元機１７内で磨かれながら揚送されている。パチンコ島台３０上部には、パチンコ島台３０両端部に向かって逆Ｖ状に設置されている補給樋（図示しない）が設けられており、揚送されたパチンコ玉を、補給樋を介して各パチンコ機１６に供給している。
【００１２】
一方、パチンコ島台３０下部には、カウンター２１の下部に一対の腰板２５が垂直状に立設され、腰板２５の内部には、還元機１７に補給する玉を貯留する貯留タンク１０が設置され、該貯留タンク１０の側面（パチンコ島台３０端方向）に、パチンコ機１６から排出された使用済玉や後述する玉返却装置１９からの返却玉を回収して流下させる回収樋２０がパチンコ島台３０端部から中央に向けて傾斜状に設けられている。また、貯留タンク１０の他側面（パチンコ島台３０中央方向）と還元機１７の玉導入口との間には、玉導入樋１８が架設され、貯留タンク１０の貯留玉が還元機１７へ整列して流下されるようになっている。なお、貯留タンク１０及び回収樋２０は、パチンコ玉が流入できるようにその上面が開放されて形成されている。
【００１３】
しかして、貯留タンク１０上に設置されているパチンコ機１６から排出されるパチンコ玉は、パチンコ機１６下部に設けられたアウトＢＯＸ２２の玉出口２６から貯留タンク１０に直接回収貯留され、回収樋２０上に設置されているパチンコ機１６から排出されるパチンコ玉は、アウトＢＯＸ２２の玉出口２６に装着されたフレキシブルパイプ２４で回収樋２０の近傍まで垂直状に落下してから回収樋２０に回収され、その後回収樋２０を流下して貯留タンク１０に貯留されるようになっている。
【００１４】
また、玉導入樋１８上に設置されているパチンコ機１６から排出されるパチンコ玉は、後で詳述するユニット回収樋１にアウトＢＯＸ２２の玉出口２６から回収され、その後ユニット回収樋１を流下して貯留タンク１０に貯留されるようになっている。
【００１５】
次に図９において、パチンコ島台３０は、その一端部の外側に玉返却装置１９が付設されており、一方内側には、玉返却装置１９の玉出口から導出された返却玉及び島台端部に設けられたパチンコ機１６からの排出玉を回収するユニット回収樋１が設置されている。図に示すように、玉返却装置１９と前記した回収樋２０との設置位置は落差が大きく（特にパチンコ島台３０が短い場合には顕著となる）、仮にユニット回収樋１を設置しないときには、遊技客が獲得した景品玉を玉返却装置１９に投入すると、玉返却装置１９の玉出口から勢いよく返却された景品玉が回収樋２０に落下し、その落下の衝撃により回収樋２０が破損すると共に、景品玉が落下した際飛び跳ねて回収樋２０からこぼれてしまうので、前記したようにユニット回収樋１を、玉返却装置１９と回収樋２０との間に仲介することで、玉返却装置１９からの返却玉による回収樋２０への衝撃を緩和すると共に、回収樋２０からのこぼれ玉を防止し、玉返却装置１９からの返却玉を円滑に回収し貯留タンク１０に流下させるようになっている。なお、前記図８のところで説明したように、ユニット回収樋１上のパチンコ機１６からの排出玉は、アウトＢＯＸ２２の玉出口２６からユニット回収樋２０に回収され、回収樋２０上のパチンコ機１６からの排出玉は、アウトＢＯＸ２２の玉出口２６からフレキシブルパイプ２４を通って回収樋２０に回収されるようになっている。
【００１６】
上記のようにパチンコ島台３０には、玉自動循環機構が内蔵されており、パチンコ玉の循環を効率よく行うために、ユニット回収樋１から回収樋２０及び貯留タンク１０へのパチンコ玉の回収をスムーズに行う必要がある。そこで、以下、図１乃至図７を参照して本発明のユニット回収樋１の構成及び取り付け方法について詳述する。図１は、ユニット回収樋１の斜視図、図２は、ユニット回収樋１の分解図、図３は、ユニット回収樋１の組み立て手段を示す要部拡大図、図４は、ユニット回収樋１の平面図、図５は、ユニット回収樋１の側面図、図６は、図４におけるユニット回収樋１のＡ−Ａ断面図、図７は、図４におけるユニット回収樋１のＢ−Ｂ断面図である。
【００１７】
ユニット回収樋１は、図２に示すように玉通路枠２と玉通路３から構成されており、まず玉通路枠２は、側板４と底板５と側板４の始端側（還元機１７または玉返却装置１９側）に傾斜板６とを備え、側板４の終端側（貯留タンク１０側）及び上部を開放した側断面凹状に形成する。側板４は、前記パチンコ島台３０の一対のカウンター２１の基部間と略同等の間隔で平行して２枚略矩形状に形成し、その上縁に島台取付用の取付孔９（例えば木ネジ用の孔）を複数穿設すると共に、上端を水平状に形成し、下端を勾配がつくように側板４の始端側の高さをＳ、終端側の高さをＨとして始端側よりも終端側を高く形成して始端側から終端側に向かって下り勾配となるように形成し、その下端に底板５の両端を合わせて底板５を敷設する。したがって底板５は、その全面に亘って側板４下端の勾配と同じ勾配が形成されることとなる。この勾配は、パチンコ機１６からの排出玉や玉返却装置１９からの返却玉が円滑に流下するように設けられるもので、通常３乃至５分（３／１００乃至５／１００）程度に設けられるようになっている。また、底板５には、パチンコ玉以外の異物をユニット回収樋１外に排出するための矩形状の穴である複数の異物排出口１３を略等間隔で穿設する。さらに底板５の裏面には、後述する玉通路３の固定爪７を係止させるＬ字状の玉通路係止部８を、底板５の中央より対称状に２本並設する。また、側板４の始端側には、何らかの理由により逆方向に転動してきたパチンコ玉を正方向（側板４の終端方向）に戻すよう十分な勾配が設けられた傾斜板６が斜設されており、傾斜板６下端と底板５との間には図７に示すように、後述する玉通路３の端部が挿着できるよう隙間２３が形成されている。
【００１８】
次に玉通路３は、図２に示すように、複数の平板１１を溝１２が形成できるようにスノコ状に並列敷設し、その両側部に上端がパチンコ玉が玉通路３に流入するように玉通路３の中央方向に下り勾配を形成すると共に下端が平板１１より下側へ突出するように設けられた側壁１５（図５，６参照）を立設し、また、平板１１の一端部は、前記玉通路枠２の隙間２３に挿着できるよう側壁１５より突出するように形成し（図２，７参照）、全体として略側断面横Ｉ字状の長板状に形成する。平板１１の敷設間隔である溝１２は、パチンコ玉の通り道となるためパチンコ玉の直径より小さく形成すると共に、平板１１上に載ったパチンコ玉が溝１２へ誘導されるように平板１１の角に丸みを設け（図示しない）、溝１２上をパチンコ玉が一列に整列して転動するようになっている。また、玉通路３の底部裏面には、前記玉通路枠２に玉通路３を固定するための固定爪７が複数垂下されている。この固定爪７は垂直片と爪部とで形成され、前記玉通路係止部８と係合できる間隔で２本一組として平板１１に一体的に設けられると共に、図３に示すように前記異物排出口１３に挿入できる位置に、異物排出口１３に対応する数だけ並列して設けられている。さらに、玉通路３の底部裏面には、玉通路３を補強するため前記した側壁１５の平板１１より下側に突出した箇所に補強部１４を横架する。この補強部１４は、図７に示すように前記底板５の異物排出口１３がない箇所に対応して固定爪７と同様に複数並列して設けられている。なお、玉通路３は、後述するように玉通路枠２に装着するため、玉通路枠２の大きさに準じてその寸法が決定されるようになっている。
【００１９】
上記のように構成された玉通路枠２と玉通路３を組み立てるには、まず図７に示すように玉通路枠２の隙間２３に予め装着可能な寸法に形成しておいた玉通路３の平板１１が突出している一端を挿入し、それから玉通路３の固定爪７を玉通路枠２の異物排出口１３に挿入した後、玉通路係止部８に係止固定することで、玉通路３の補強部１４が玉通路枠２の底板５に当接し、玉通路枠２と玉通路３は堅固に一体化され、ユニット回収樋１が形成される。この際固定爪７は、その爪部がＬ字状に設けられた玉通路係止部８の垂下片に押圧されて弓なり状に反った後、図５，６に示すように爪部が垂下片の下端部に係合し、玉通路３は玉通路枠２に固定されるようになっている。このように、パチンコ玉を流下させるのに適宜な勾配が設けられた玉通路枠２の底面５上に玉通路３を係止固定することで、玉の通り道となる玉通路３自体にも玉通路枠２と同様に適宜な勾配が形成されることになり、したがってユニット回収樋１に回収されたパチンコ玉は、円滑に流下されるようになる。
【００２０】
そして、上記のように組み立てられたユニット回収樋１を図８に示すパチンコ島台３０の中央部に取り付けるには、ユニット回収樋１の始端側をパチンコ島台３０中央の縦柱に宛がい、終端側を貯留タンク１０側面上部に臨ませ、玉通路枠２の側板４の上端が水平になるようカウンター２１基部上面に宛がい、その後側板４の取付孔９箇所をネジ等で螺着してユニット回収樋１を固定する。そうすることでユニット回収樋１の玉通路３にパチンコ玉が円滑に流下する勾配が自動的に形成され、還元機１７の隣に設置されたパチンコ機１６のアウトＢＯＸ２２の玉出口２６から排出されるパチンコ玉は、ユニット回収樋１を通ってスムーズに貯留タンク１０に流出される。
【００２１】
また、上記のように組み立てられたユニット回収樋１を図９に示すパチンコ島台３０の端部に取り付けるには、ユニット回収樋１の始端側をパチンコ島台３０の側板内側に当接し、玉通路枠２の側板４の上端が水平になるようカウンター２１基部上面に宛がい、その後側板４の取付孔９箇所をネジ等で螺着してユニット回収樋１を固定する。そうすることで前記したユニット回収樋１をパチンコ島台３０の中央部に取り付けたときと同様に、ユニット回収樋１の玉通路３に的確な勾配が形成され、玉返却装置１９から返却されるパチンコ玉は、ユニット回収樋１を通って落差なく回収樋２０へ流下されると共に、パチンコ島台３０の端部に設けられたパチンコ機１６のアウトＢＯＸ２２の玉出口２６から排出されるパチンコ玉は、ユニット回収樋１を通ってスムーズに回収樋２０に流出される。
【００２２】
以上、説明したように本発明のユニット回収樋１は、玉通路枠２に玉通路３を嵌合させるだけで極めて容易に形成できると共に、パチンコ島台３０の構成上、回収樋２０の設置空間を十分取ることができない場所や、パチンコ島台３０端部に玉返却装置１９が設置され回収樋２０の破損する危険性がある場所に、カウンター２１基部にその上面部を宛がいネジ等で容易に水平状に設置することができるので、従来のような短距離回収路を現場で組み立てる作業が全く介入せず、極めて容易に的確な勾配を有する回収路が形成でき、パチンコ機１６からの排出玉や玉返却装置１９からの返却玉を円滑に貯留タンク１０や回収樋２０に流下させることができる。また、ユニット回収樋１は、溝１２と異物排出口１３を設けたので、パチンコ玉以外の異物がユニット回収樋１に紛れ込んでも、その異物をユニット回収樋１外に排出でき、異物によって玉の回収を妨げることがなくなりスムーズな回収ができる。
【００２３】
なお、本実施例においては、玉返却装置１９をパチンコ島台３０の端部外側に設置した例を示したが、これはパチンコ島台３０の内側（例えばパチンコ島台３０の中央部）に設置してもよく、ユニット回収樋１もそれに対応して上記に準じて設置すればよい。また、ユニット回収樋１は、カウンター２１に取り付ける例を示したが、これは腰板２５やその他パチンコ島台３０を構成する骨組等に取り付けるようにしてもよく、その取り付け手段も限定されるものではない。また、パチンコ島台３０は、その両面にパチンコ機１６が背向列設されるものを示しが、片面だけにパチンコ機１６が列設される所謂壁島や、その両面にパチンコ機１６とスロットマシーンが背向列設される所謂併用島であってもよく、この場合においてもユニット回収樋１は、上記に準じて構成し、それらの島台の適宜場所に取り付ければよい。
【図面の簡単な説明】
【００２４】
【図１】ユニット回収樋の全体斜視図である。
【図２】ユニット回収樋を玉通路と玉通路枠とに分解した状態を示す斜視図である。
【図３】玉通路を玉通路枠に取り付ける手段を示す要部破断斜視図である。
【図４】ユニット回収樋の平面図である。
【図５】ユニット回収樋の側面図である。
【図６】図４におけるユニット回収樋のＡ−Ａ断面図である。
【図７】図４におけるユニット回収樋のＢ−Ｂ断面図である。
【図８】パチンコ島台中央部の内部構造を示す要部破断正面図である。
【図９】パチンコ島台端部の内部構造を示す要部破断正面図である。
【符号の説明】
【００２５】
１・・ユニット回収樋
２・・玉通路枠
３・・玉通路
４・・側板
５・・底板
９・・取付孔
１０・・貯留タンク
１１・・平板
１２・・溝
１６・・パチンコ機
１７・・還元機
１８・・玉導入樋
１９・・玉返却装置
２０・・回収樋
２１・・カウンター
２５・・腰板
３０・・パチンコ島台
【図１】
2006280974.tif 000003
【図２】
2006280974.tif 000004
【図３】
2006280974.tif 000005
【図４】
2006280974.tif 000006
【図５】
2006280974.tif 000007
【図６】
2006280974.tif 000008
【図７】
2006280974.tif 000009
【図８】
2006280974.tif 000010
【図９】
2006280974.tif 000011
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
パチンコ機からの排出玉を回収樋または貯留タンクに流下させ、該貯留タンクの貯留玉を玉磨揚送機構へ導出する玉導入樋を有したパチンコ島台の回収経路に設けられるユニット回収樋であって、
該ユニット回収樋は、パチンコ島台内部の前記玉導入樋の上部に設けられたパチンコ機設置部下方の一対のカウンターの後端部間と略同等の間隔を有した一対の側板を有し、
該側板の夫々を前記カウンターの後端部に宛がった状態で固定することで前記ユニット回収樋を前記パチンコ機と前記玉導入樋の間に仲介させたことを特徴とするユニット回収樋。
【手続補正２】
【補正対象書類名】明細書
【補正対象項目名】全文
【補正方法】変更
【補正の内容】
【発明の詳細な説明】
【技術分野】
【０００１】
本発明は、パチンコ島台内部に設けられ、特定のパチンコ機から排出される使用済玉を回収し、最終的に玉磨揚送機構である還元機へ導出できるようにしたユニット回収樋に関するものである。
【背景技術】
【０００２】
パチンコ島台には、パチンコ機から排出される使用済玉と、玉返却装置から返却される返却玉を島台下部に架設された回収樋で回収して貯留タンクに貯留し、その貯留した玉を島台中央に設置されている玉磨揚送機構である還元機により磨きながら島台上方へ揚送し、さらに島台上部の補給樋を介して、揚送された玉を再度各パチンコ機に供給する玉自動還元システムが内蔵されている。
【０００３】
このようなパチンコ島台においては玉の循環を効率よく行うために、回収樋から貯留タンクを経由して最終的に島台中央の還元機へ玉をスムーズに流下させる必要がある。しかしてパチンコ機から排出される使用済玉は、一旦アウトＢＯＸに落下し、そこで計数されてからアウトＢＯＸの玉出口に装着されたフレキシブルパイプを通って回収樋の近傍まで略垂直状に落下してから回収樋に回収される場合が殆どであるが、島台中央内部には前記した貯留タンクと還元機が設置されており、さらに貯留タンクからの貯留玉を整列させて還元機に導入するための玉導入樋が貯留タンクと還元機の間に架設されているので、回収樋は、それらの装置が邪魔となって貯留タンクの側部（島台の端方向）までしか延設できず、したがって、貯留タンクの上部に設置されているパチンコ機の排出玉は、アウトＢＯＸから直接貯留タンクに導出するようにする一方、玉導入樋の上部に設置されているパチンコ機の排出玉は、それ専用の排出玉回収樋を作成して島台内の適宜場所に設置し、アウトＢＯＸからその排出玉回収樋を介して貯留タンクに導出するようにしていた。このような手段を選択するのは、玉導入樋の上部に設置されているパチンコ機の排出玉は、前記したフレキシブルパイプで貯留タンクに流下させると、フレキシブルパイプが水平状に傾くため玉詰まりを起こし易く、またフレキシブルパイプを玉導入樋の近傍まで垂直状に導いて、直接玉導入樋に排出玉を流下させると、折角整列していたパチンコ玉が乱されて還元機へ正常にパチンコ玉を導出できなくなり、何れにしても上手く排出玉を処理できないことに起因している。
【０００４】
また、玉返却装置から島台にパチンコ玉が返却される場合には、玉返却装置と島台内の回収樋との落差が大きいため、玉返却装置の玉出口から直接回収樋に落下させると、返却玉の落下による衝撃により回収樋を破損するため、玉返却装置と回収樋との間にも前記排出玉回収樋と同様にそれ専用の返却玉回収樋を島台内の適宜場所に設置し、落差調整をして回収樋を破損しないようにしていた。
【発明の開示】
【発明が解決しようとする課題】
【０００５】
前記した排出玉回収樋は、作業員が現場で組み立てるため、その精度は、作業員の熟練度に委ねられることになる。しかし、回収樋は、パチンコ玉を円滑に転動させる勾配が予め決められており、例えば不慣れな作業員が回収樋を組み立てたときにこの勾配を逸脱すると、パチンコ玉の回収がスムーズにおこなわれず、前記した玉自動還元システムに支障をきたす虞がある。
【０００６】
島台中央部には前記した貯留タンク、還元機、玉導入樋以外にオーバーフローホースや変圧機その他多くの機器設備が収納されており、特に排出玉回収樋の設置作業はそれらの装置のため煩雑なものとなっていた。
【０００７】
本発明は上記した事情に鑑みなされたもので、その目的とするところは、玉導入樋の上部に設置されているパチンコ機の排出玉専用の排出玉回収樋をパチンコ島台内部に容易に設置することのできるユニット回収樋を提供することにある。
【課題を解決するための手段】
【０００８】
上記した目的を達成するために、本発明は、パチンコ機からの排出玉を回収樋または貯留タンクに流下させ、該貯留タンクの貯留玉を玉磨揚送機構へ導出する玉導入樋を有したパチンコ島台の回収経路に設けられるユニット回収樋であって、該ユニット回収樋は、パチンコ島台内部の前記玉導入樋の上部に設けられたパチンコ機設置部下方の一対のカウンターの後端部間と略同等の間隔を有した一対の側板を有し、該側板の夫々を前記カウンターの後端部に宛がった状態で固定することで前記ユニット回収樋を前記パチンコ機と前記玉導入樋の間に仲介させたことを特徴とするものである。
【発明の効果】
【０００９】
ユニット回収樋は、パチンコ島台内部の導入樋の上部に設けられたパチンコ機設置部下方の一対のカウンターの後端部間と略同等の間隔を有した一対の側板を有し、該側板の夫々を前記カウンターの後端部に宛がった状態で固定することで当該ユニット回収樋をパチンコ機と玉導入樋の間に仲介させたので、玉導入樋の上部に設置されたパチンコ機の排出玉を回収するユニット回収樋をパチンコ島台内部に容易に設置することができる。
【発明を実施するための最良の形態】
【００１０】
以下図面を参照して本発明の一実施例を説明する。まず、図８，９を参照して実施例に係わるユニット回収樋１が適用されるパチンコ島台３０について説明する。
【００１１】
図８は、パチンコ島台３０中央部の内部構造を示す一部破断正面図であり、図９は、パチンコ島台３０端部の内部構造を示す一部破断正面図である。まず図８においてパチンコ島台３０は、多数のパチンコ機１６が予め定められた間隔で設けられる一対のカウンター２１基部上に背向列設されており、その中央に玉磨揚送機構である還元機１７が立設され、パチンコ玉は還元機１７内で磨かれながら揚送されている。パチンコ島台３０上部には、パチンコ島台３０両端部に向かって逆Ｖ状に設置されている補給樋（図示しない）が設けられており、揚送されたパチンコ玉を、補給樋を介して各パチンコ機１６に供給している。
【００１２】
一方、パチンコ島台３０下部には、カウンター２１の下部に一対の腰板２５が垂直状に立設され、腰板２５の内部には、還元機１７に補給する玉を貯留する貯留タンク１０が設置され、該貯留タンク１０の側面（パチンコ島台３０端方向）に、パチンコ機１６から排出された使用済玉や後述する玉返却装置１９からの返却玉を回収して流下させる回収樋２０がパチンコ島台３０端部から中央に向けて傾斜状に設けられている。また、貯留タンク１０の他側面（パチンコ島台３０中央方向）と還元機１７の玉導入口との間には、玉導入樋１８が架設され、貯留タンク１０の貯留玉が還元機１７へ整列して流下されるようになっている。なお、貯留タンク１０及び回収樋２０は、パチンコ玉が流入できるようにその上面が開放されて形成されている。
【００１３】
しかして、貯留タンク１０上に設置されているパチンコ機１６から排出されるパチンコ玉は、パチンコ機１６下部に設けられたアウトＢＯＸ２２の玉出口２６から貯留タンク１０に直接回収貯留され、回収樋２０上に設置されているパチンコ機１６から排出されるパチンコ玉は、アウトＢＯＸ２２の玉出口２６に装着されたフレキシブルパイプ２４で回収樋２０の近傍まで垂直状に落下してから回収樋２０に回収され、その後回収樋２０を流下して貯留タンク１０に貯留されるようになっている。
【００１４】
また、玉導入樋１８上に設置されているパチンコ機１６から排出されるパチンコ玉は、後で詳述するユニット回収樋１にアウトＢＯＸ２２の玉出口２６から回収され、その後ユニット回収樋１を流下して貯留タンク１０に貯留されるようになっている。
【００１５】
次に図９において、パチンコ島台３０は、その一端部の外側に玉返却装置１９が付設されており、一方内側には、玉返却装置１９の玉出口から導出された返却玉及び島台端部に設けられたパチンコ機１６からの排出玉を回収するユニット回収樋１が設置されている。図に示すように、玉返却装置１９と前記した回収樋２０との設置位置は落差が大きく（特にパチンコ島台３０が短い場合には顕著となる）、仮にユニット回収樋１を設置しないときには、遊技客が獲得した景品玉を玉返却装置１９に投入すると、玉返却装置１９の玉出口から勢いよく返却された景品玉が回収樋２０に落下し、その落下の衝撃により回収樋２０が破損すると共に、景品玉が落下した際飛び跳ねて回収樋２０からこぼれてしまうので、前記したようにユニット回収樋１を、玉返却装置１９と回収樋２０との間に仲介することで、玉返却装置１９からの返却玉による回収樋２０への衝撃を緩和すると共に、回収樋２０からのこぼれ玉を防止し、玉返却装置１９からの返却玉を円滑に回収し貯留タンク１０に流下させるようになっている。なお、前記図８のところで説明したように、ユニット回収樋１上のパチンコ機１６からの排出玉は、アウトＢＯＸ２２の玉出口２６からユニット回収樋２０に回収され、回収樋２０上のパチンコ機１６からの排出玉は、アウトＢＯＸ２２の玉出口２６からフレキシブルパイプ２４を通って回収樋２０に回収されるようになっている。
【００１６】
上記のようにパチンコ島台３０には、玉自動循環機構が内蔵されており、パチンコ玉の循環を効率よく行うために、ユニット回収樋１から回収樋２０及び貯留タンク１０へのパチンコ玉の回収をスムーズに行う必要がある。そこで、以下、図１乃至図７を参照して本発明のユニット回収樋１の構成及び取り付け方法について詳述する。図１は、ユニット回収樋１の斜視図、図２は、ユニット回収樋１の分解図、図３は、ユニット回収樋１の組み立て手段を示す要部拡大図、図４は、ユニット回収樋１の平面図、図５は、ユニット回収樋１の側面図、図６は、図４におけるユニット回収樋１のＡ−Ａ断面図、図７は、図４におけるユニット回収樋１のＢ−Ｂ断面図である。
【００１７】
ユニット回収樋１は、図２に示すように玉通路枠２と玉通路３から構成されており、まず玉通路枠２は、側板４と底板５と側板４の始端側（還元機１７または玉返却装置１９側）に傾斜板６とを備え、側板４の終端側（貯留タンク１０側）及び上部を開放した側断面凹状に形成する。側板４は、前記パチンコ島台３０の一対のカウンター２１の基部間と略同等の間隔で平行して２枚略矩形状に形成し、その上縁に島台取付用の取付孔９（例えば木ネジ用の孔）を複数穿設すると共に、上端を水平状に形成し、下端を勾配がつくように側板４の始端側の高さをＳ、終端側の高さをＨとして始端側よりも終端側を高く形成して始端側から終端側に向かって下り勾配となるように形成し、その下端に底板５の両端を合わせて底板５を敷設する。したがって底板５は、その全面に亘って側板４下端の勾配と同じ勾配が形成されることとなる。この勾配は、パチンコ機１６からの排出玉や玉返却装置１９からの返却玉が円滑に流下するように設けられるもので、通常３乃至５分（３／１００乃至５／１００）程度に設けられるようになっている。また、底板５には、パチンコ玉以外の異物をユニット回収樋１外に排出するための矩形状の穴である複数の異物排出口１３を略等間隔で穿設する。さらに底板５の裏面には、後述する玉通路３の固定爪７を係止させるＬ字状の玉通路係止部８を、底板５の中央より対称状に２本並設する。また、側板４の始端側には、何らかの理由により逆方向に転動してきたパチンコ玉を正方向（側板４の終端方向）に戻すよう十分な勾配が設けられた傾斜板６が斜設されており、傾斜板６下端と底板５との間には図７に示すように、後述する玉通路３の端部が挿着できるよう隙間２３が形成されている。
【００１８】
次に玉通路３は、図２に示すように、複数の平板１１を溝１２が形成できるようにスノコ状に並列敷設し、その両側部に上端がパチンコ玉が玉通路３に流入するように玉通路３の中央方向に下り勾配を形成すると共に下端が平板１１より下側へ突出するように設けられた側壁１５（図５，６参照）を立設し、また、平板１１の一端部は、前記玉通路枠２の隙間２３に挿着できるよう側壁１５より突出するように形成し（図２，７参照）、全体として略側断面横Ｉ字状の長板状に形成する。平板１１の敷設間隔である溝１２は、パチンコ玉の通り道となるためパチンコ玉の直径より小さく形成すると共に、平板１１上に載ったパチンコ玉が溝１２へ誘導されるように平板１１の角に丸みを設け（図示しない）、溝１２上をパチンコ玉が一列に整列して転動するようになっている。また、玉通路３の底部裏面には、前記玉通路枠２に玉通路３を固定するための固定爪７が複数垂下されている。この固定爪７は垂直片と爪部とで形成され、前記玉通路係止部８と係合できる間隔で２本一組として平板１１に一体的に設けられると共に、図３に示すように前記異物排出口１３に挿入できる位置に、異物排出口１３に対応する数だけ並列して設けられている。さらに、玉通路３の底部裏面には、玉通路３を補強するため前記した側壁１５の平板１１より下側に突出した箇所に補強部１４を横架する。この補強部１４は、図７に示すように前記底板５の異物排出口１３がない箇所に対応して固定爪７と同様に複数並列して設けられている。なお、玉通路３は、後述するように玉通路枠２に装着するため、玉通路枠２の大きさに準じてその寸法が決定されるようになっている。
【００１９】
上記のように構成された玉通路枠２と玉通路３を組み立てるには、まず図７に示すように玉通路枠２の隙間２３に予め装着可能な寸法に形成しておいた玉通路３の平板１１が突出している一端を挿入し、それから玉通路３の固定爪７を玉通路枠２の異物排出口１３に挿入した後、玉通路係止部８に係止固定することで、玉通路３の補強部１４が玉通路枠２の底板５に当接し、玉通路枠２と玉通路３は堅固に一体化され、ユニット回収樋１が形成される。この際固定爪７は、その爪部がＬ字状に設けられた玉通路係止部８の垂下片に押圧されて弓なり状に反った後、図５，６に示すように爪部が垂下片の下端部に係合し、玉通路３は玉通路枠２に固定されるようになっている。このように、パチンコ玉を流下させるのに適宜な勾配が設けられた玉通路枠２の底面５上に玉通路３を係止固定することで、玉の通り道となる玉通路３自体にも玉通路枠２と同様に適宜な勾配が形成されることになり、したがってユニット回収樋１に回収されたパチンコ玉は、円滑に流下されるようになる。
【００２０】
そして、上記のように組み立てられたユニット回収樋１を図８に示すパチンコ島台３０の中央部に取り付けるには、ユニット回収樋１の始端側をパチンコ島台３０中央の縦柱に宛がい、終端側を貯留タンク１０側面上部に臨ませ、玉通路枠２の側板４の上端が水平になるようカウンター２１基部上面に宛がい、その後側板４の取付孔９箇所をネジ等で螺着してユニット回収樋１を固定する。そうすることでユニット回収樋１の玉通路３にパチンコ玉が円滑に流下する勾配が自動的に形成され、還元機１７の隣に設置されたパチンコ機１６のアウトＢＯＸ２２の玉出口２６から排出されるパチンコ玉は、ユニット回収樋１を通ってスムーズに貯留タンク１０に流出される。
【００２１】
また、上記のように組み立てられたユニット回収樋１を図９に示すパチンコ島台３０の端部に取り付けるには、ユニット回収樋１の始端側をパチンコ島台３０の側板内側に当接し、玉通路枠２の側板４の上端が水平になるようカウンター２１基部上面に宛がい、その後側板４の取付孔９箇所をネジ等で螺着してユニット回収樋１を固定する。そうすることで前記したユニット回収樋１をパチンコ島台３０の中央部に取り付けたときと同様に、ユニット回収樋１の玉通路３に的確な勾配が形成され、玉返却装置１９から返却されるパチンコ玉は、ユニット回収樋１を通って落差なく回収樋２０へ流下されると共に、パチンコ島台３０の端部に設けられたパチンコ機１６のアウトＢＯＸ２２の玉出口２６から排出されるパチンコ玉は、ユニット回収樋１を通ってスムーズに回収樋２０に流出される。
【００２２】
以上、説明したように本発明のユニット回収樋１は、玉通路枠２に玉通路３を嵌合させるだけで極めて容易に形成できると共に、パチンコ島台３０の構成上、回収樋２０の設置空間を十分取ることができない場所や、パチンコ島台３０端部に玉返却装置１９が設置され回収樋２０の破損する危険性がある場所に、カウンター２１基部にその上面部を宛がいネジ等で容易に水平状に設置することができるので、従来のような短距離回収路を現場で組み立てる作業が全く介入せず、極めて容易に的確な勾配を有する回収路が形成でき、パチンコ機１６からの排出玉や玉返却装置１９からの返却玉を円滑に貯留タンク１０や回収樋２０に流下させることができる。また、ユニット回収樋１は、溝１２と異物排出口１３を設けたので、パチンコ玉以外の異物がユニット回収樋１に紛れ込んでも、その異物をユニット回収樋１外に排出でき、異物によって玉の回収を妨げることがなくなりスムーズな回収ができる。
【００２３】
なお、本実施例においては、玉返却装置１９をパチンコ島台３０の端部外側に設置した例を示したが、これはパチンコ島台３０の内側（例えばパチンコ島台３０の中央部）に設置してもよく、ユニット回収樋１もそれに対応して上記に準じて設置すればよい。また、ユニット回収樋１は、カウンター２１に取り付ける例を示したが、これは腰板２５やその他パチンコ島台３０を構成する骨組等に取り付けるようにしてもよく、その取り付け手段も限定されるものではない。また、パチンコ島台３０は、その両面にパチンコ機１６が背向列設されるものを示しが、片面だけにパチンコ機１６が列設される所謂壁島や、その両面にパチンコ機１６とスロットマシーンが背向列設される所謂併用島であってもよく、この場合においてもユニット回収樋１は、上記に準じて構成し、それらの島台の適宜場所に取り付ければよい。
【図面の簡単な説明】
【００２４】
【図１】ユニット回収樋の全体斜視図である。
【図２】ユニット回収樋を玉通路と玉通路枠とに分解した状態を示す斜視図である。
【図３】玉通路を玉通路枠に取り付ける手段を示す要部破断斜視図である。
【図４】ユニット回収樋の平面図である。
【図５】ユニット回収樋の側面図である。
【図６】図４におけるユニット回収樋のＡ−Ａ断面図である。
【図７】図４におけるユニット回収樋のＢ−Ｂ断面図である。
【図８】パチンコ島台中央部の内部構造を示す要部破断正面図である。
【図９】パチンコ島台端部の内部構造を示す要部破断正面図である。
【符号の説明】
【００２５】
１・・ユニット回収樋
２・・玉通路枠
３・・玉通路
４・・側板
５・・底板
９・・取付孔
１０・・貯留タンク
１１・・平板
１２・・溝
１６・・パチンコ機
１７・・還元機
１８・・玉導入樋
１９・・玉返却装置
２０・・回収樋
２１・・カウンター
２５・・腰板
３０・・パチンコ島台